(57)【特許請求の範囲】
【請求項１】
複数の情報処理装置が１対１で無線通信を行うことにより前記複数の情報処理装置が相互に接続されるネットワークにおける前記複数の情報処理装置を構成する第１情報処理装置に特定場所に滞在することを要求する滞在要求を送信し、前記第１情報処理装置が前記特定場所に滞在することを条件に前記第１情報処理装置にインセンティブを付与する制御を行う制御部を具備し、
前記制御部は、前記第１情報処理装置が前記特定場所に滞在する時間をデータ送信要求に係るデータ量と通信レートとに基づいて算出し、当該算出した時間に基づいて、前記インセンティブを決定する
情報処理装置。
【請求項２】
前記第１情報処理装置は、前記複数の情報処理装置を構成する第２情報処理装置から送信されるデータを当該情報処理装置が受信する場合に前記データを中継する中継装置であり、
前記制御部は、前記データの受信が完了するまでの間、前記第１情報処理装置が前記特定場所に滞在することを条件に前記第１情報処理装置に前記インセンティブを付与する
請求項１記載の情報処理装置。
【請求項３】
前記制御部は、当該情報処理装置と前記第１情報処理装置と前記第２処理装置との相対的な位置関係に基づいて、前記インセンティブを決定する請求項２記載の情報処理装置。
【請求項４】
前記制御部は、前記複数の情報処理装置を構成する各情報処理装置のうちで前記データの受信に関与が可能な情報処理装置の数に基づいて前記インセンティブを決定する請求項２記載の情報処理装置。
【請求項５】
前記制御部は、前記第１情報処理装置に前記インセンティブを付与することにより前記第１情報処理装置において特定アプリケーションを起動させる請求項１から４のいずれかに記載の情報処理装置。
【請求項６】
前記制御部は、前記第１情報処理装置が前記特定場所の範囲外に出たことが検出された場合には、前記インセンティブを無効化する請求項１から５のいずれかに記載の情報処理装置。
【請求項７】
前記制御部は、前記第１情報処理装置が前記特定場所の範囲外に出たことが検出された場合には、前記第１情報処理装置が前記特定場所に戻るための警告通知を前記第１情報処理装置に送信する請求項１から６のいずれかに記載の情報処理装置。
【請求項８】
複数の情報処理装置が１対１で無線通信を行うことにより前記複数の情報処理装置が相互に接続されるネットワークにおける前記複数の情報処理装置を構成する第１情報処理装置から特定場所に滞在することを要求する滞在要求を受信した場合に、当該情報処理装置が前記特定場所に滞在することを条件に前記第１情報処理装置から付与されるインセンティブに基づく処理を行う制御を行う制御部を具備し、
前記制御部は、前記第１情報処理装置が前記特定場所に滞在する時間をデータ送信要求に係るデータ量と通信レートとに基づいて算出し、当該算出した時間に基づいて、前記インセンティブを決定する
情報処理装置。
【請求項９】
前記制御部は、前記インセンティブに基づいて特定アプリケーションを起動させる請求項８記載の情報処理装置。
【請求項１０】
前記制御部は、当該情報処理装置が前記特定場所の範囲外に出たことが検出された場合には、前記特定アプリケーションを停止または終了させる請求項９記載の情報処理装置。
【請求項１１】
前記制御部は、当該情報処理装置が前記特定場所の範囲外に出たことが検出された場合には、前記インセンティブを無効化させる請求項８から１０のいずれかに記載の情報処理装置。
【請求項１２】
前記制御部は、当該情報処理装置が前記特定場所の範囲外に出たことが検出された場合には、その旨を前記第１情報処理装置に送信する請求項８から１１のいずれかに記載の情報処理装置。
【請求項１３】
複数の情報処理装置が１対１で無線通信を行うことにより前記複数の情報処理装置が相互に接続されるネットワークにおける前記複数の情報処理装置を構成する第１情報処理装置に特定場所に滞在することを要求する滞在要求を送信する送信手順と、
前記第１情報処理装置が前記特定場所に滞在することを条件に前記第１情報処理装置にインセンティブを付与する付与手順と
を具備し、
前記付与手順において、前記第１情報処理装置が前記特定場所に滞在する時間をデータ送信要求に係るデータ量と通信レートとに基づいて算出し、当該算出した時間に基づいて、前記インセンティブを決定する
情報処理方法。
【発明の詳細な説明】
【技術分野】
【０００１】
本技術は、情報処理装置に関する。詳しくは、無線通信を利用して情報のやりとりを行う情報処理装置および情報処理方法に関する。
【背景技術】
【０００２】
従来、無線通信を利用して情報のやり取りを行う無線通信技術が存在する。例えば、周囲の情報処理装置と自律的に相互接続する通信方法（例えば、アドホック通信やアドホックネットワーク）が提案されている（例えば、特許文献１参照。）。
【先行技術文献】
【特許文献】
【０００３】
【特許文献１】特開２００９−２３９３８５号公報
【発明の概要】
【発明が解決しようとする課題】
【０００４】
上述の従来技術によれば、有線回線で接続しなくても無線通信を利用して２つの情報処理装置間において情報のやりとりを行うことができる。また、このようなネットワークにおいては、各情報処理装置は、制御装置のようなマスタ局に依存することなく、周囲の情報処理装置と相互に通信を行うことができる。【０００５】
また、各情報処理装置は、周囲の情報処理装置と自律的に相互接続する以外に、他の情報処理装置との間でやりとりされる情報をバケツリレー的に転送することも可能である（いわゆる、マルチホップ・リレー）。また、マルチホップを行うネットワークは、メッシュネットワークとして一般的に知られている。【０００６】
このように、アドホックネットワークやメッシュネットワークでは、周辺の情報処理装置と自由に通信することができる。【０００７】
ここで、例えば、ネットワークに属する特定の情報処理装置が、ある条件を満たす特定場所に滞在することを希望するユーザが存在することが想定される。例えば、２つの装置を中継する中継装置には、その中継を継続できる場所（または、２つの装置との相対距離を維持できる場所）に滞在してもらいたいと考えることが想定される。また、例えば、子供が所持する情報処理装置には、子供が安心できる場所（例えば、遊び場）に滞在してもらいたいと考えることが想定される。このような場合には、特定の装置を特定場所に滞在させることが重要である。【０００８】
本技術はこのような状況に鑑みて生み出されたものであり、特定の装置を特定場所に滞在させることを目的とする。
【課題を解決するための手段】
【０００９】
本技術は、上述の問題点を解消するためになされたものであり、その第１の側面は、複数の情報処理装置が１対１で無線通信を行うことにより上記複数の情報処理装置が相互に接続されるネットワークにおける上記複数の情報処理装置を構成する第１情報処理装置に特定場所に滞在することを要求する滞在要求を送信し、上記第１情報処理装置が上記特定場所に滞在することを条件に上記第１情報処理装置にインセンティブを付与する制御を行う制御部を具備する情報処理装置および情報処理方法ならびに当該方法をコンピュータに実行させるプログラムである。これにより、第１情報処理装置に特定場所に滞在することを要求する滞在要求を送信し、第１情報処理装置が特定場所に滞在することを条件に第１情報処理装置にインセンティブを付与するという作用をもたらす。【００１０】
また、この第１の側面において、上記第１情報処理装置は、上記複数の情報処理装置を構成する第２情報処理装置から送信されるデータを当該情報処理装置が受信する場合に上記データを中継する中継装置であり、上記制御部は、上記データの受信が完了するまでの間、上記第１情報処理装置が上記特定場所に滞在することを条件に上記第１情報処理装置に上記インセンティブを付与するようにしてもよい。これにより、データの受信が完了するまでの間、第１情報処理装置が特定場所に滞在することを条件に第１情報処理装置にインセンティブを付与するという作用をもたらす。【００１１】
また、この第１の側面において、上記制御部は、当該情報処理装置と上記第１情報処理装置と上記第２処理装置との相対的な位置関係に基づいて、上記インセンティブを決定するようにしてもよい。これにより、自装置と第１情報処理装置と第２処理装置との相対的な位置関係に基づいてインセンティブを決定するという作用をもたらす。【００１２】
また、この第１の側面において、上記制御部は、上記複数の情報処理装置を構成する各情報処理装置のうちで上記データの受信に関与が可能な情報処理装置の数に基づいて上記インセンティブを決定するようにしてもよい。これにより、複数の情報処理装置を構成する各情報処理装置のうちで、データの受信に関与が可能な情報処理装置の数に基づいてインセンティブを決定するという作用をもたらす。【００１３】
また、この第１の側面において、上記制御部は、上記第１情報処理装置が上記特定場所に滞在する時間に基づいて、上記インセンティブを決定するようにしてもよい。これにより、第１情報処理装置が特定場所に滞在する時間に基づいてインセンティブを決定するという作用をもたらす。【００１４】
また、この第１の側面において、上記制御部は、上記第１情報処理装置に上記インセンティブを付与することにより上記第１情報処理装置において特定アプリケーションを起動させるようにしてもよい。これにより、第１情報処理装置にインセンティブを付与することにより第１情報処理装置において特定アプリケーションを起動させるという作用をもたらす。【００１５】
また、この第１の側面において、上記制御部は、上記第１情報処理装置が上記特定場所の範囲外に出たことが検出された場合には、上記インセンティブを無効化するようにしてもよい。これにより、第１情報処理装置が特定場所の範囲外に出たことが検出された場合には、インセンティブを無効化するという作用をもたらす。【００１６】
また、この第１の側面において、上記制御部は、上記第１情報処理装置が上記特定場所の範囲外に出たことが検出された場合には、上記第１情報処理装置が上記特定場所に戻るための警告通知を上記第１情報処理装置に送信するようにしてもよい。これにより、第１情報処理装置が特定場所の範囲外に出たことが検出された場合には、第１情報処理装置が特定場所に戻るための警告通知を第１情報処理装置に送信するという作用をもたらす。【００１７】
また、本技術の第２の側面は、複数の情報処理装置が１対１で無線通信を行うことにより上記複数の情報処理装置が相互に接続されるネットワークにおける上記複数の情報処理装置を構成する第１情報処理装置から特定場所に滞在することを要求する滞在要求を受信した場合に、当該情報処理装置が上記特定場所に滞在することを条件に上記第１情報処理装置から付与されるインセンティブに基づく処理を行う制御を行う制御部を具備する情報処理装置および情報処理方法ならびに当該方法をコンピュータに実行させるプログラムである。これにより、第１情報処理装置から特定場所に滞在することを要求する滞在要求を受信した場合に、自装置が特定場所に滞在することを条件に第１情報処理装置から付与されるインセンティブに基づく処理を行うという作用をもたらす。【００１８】
また、この第２の側面において、上記制御部は、上記インセンティブに基づいて特定アプリケーションを起動させるようにしてもよい。これにより、インセンティブに基づいて特定アプリケーションを起動させるという作用をもたらす。【００１９】
また、この第２の側面において、上記制御部は、当該情報処理装置が上記特定場所の範囲外に出たことが検出された場合には、上記特定アプリケーションを停止または終了させるようにしてもよい。これにより、自装置が特定場所の範囲外に出たことが検出された場合には、特定アプリケーションを停止または終了させるという作用をもたらす。【００２０】
また、この第２の側面において、上記制御部は、当該情報処理装置が上記特定場所の範囲外に出たことが検出された場合には、上記インセンティブを無効化させるようにしてもよい。これにより、自装置が特定場所の範囲外に出たことが検出された場合には、インセンティブを無効化させるという作用をもたらす。【００２１】
また、この第２の側面において、上記制御部は、当該情報処理装置が上記特定場所の範囲外に出たことが検出された場合には、その旨を上記第１情報処理装置に送信するようにしてもよい。これにより、自装置が特定場所の範囲外に出たことが検出された場合には、その旨を第１情報処理装置に送信するという作用をもたらす。
【発明の効果】
【００２２】
本技術によれば、特定の装置を特定場所に滞在させることができるという優れた効果を奏し得る。なお、ここに記載された効果は必ずしも限定されるものではなく、本開示中に記載されたいずれかの効果であってもよい。
【図面の簡単な説明】
【００２３】
【図１】本技術の第１の実施の形態における通信システム１０のシステム構成例を示す図である。
【図２】本技術の第１の実施の形態における情報処理装置１００の内部構成例を示すブロック図である。
【図３】本技術の第１の実施の形態における通信システム１０を構成する各装置間における通信処理例を示すシーケンスチャートである。
【図４】本技術の第１の実施の形態における通信システム１０を構成する中継局によるインセンティブの算出例を示す図である。
【図５】本技術の第１の実施の形態における情報処理装置３００によるデータ中継処理の処理手順の一例を示すフローチャートである。
【図６】本技術の第１の実施の形態における情報処理装置３００によるデータ中継処理の処理手順の一例を示すフローチャートである。
【図７】本技術の第１の実施の形態における情報処理装置２００によるデータ受信処理の処理手順の一例を示すフローチャートである。
【図８】本技術の第１の実施の形態における情報処理装置１００によるデータ送信処理の処理手順の一例を示すフローチャートである。
【図９】本技術の第１の実施の形態における通信システム１０を構成する各装置間における通信処理例を示すシーケンスチャートである。
【図１０】本技術の第１の実施の形態における情報処理装置３００によるデータ中継処理の処理手順の一例を示すフローチャートである。
【図１１】本技術の第１の実施の形態における情報処理装置２００によるデータ受信処理の処理手順の一例を示すフローチャートである。
【図１２】本技術の第２の実施の形態における情報処理装置５００および５１０からなる通信システム２０の一例を示す図である。
【図１３】本技術の第２の実施の形態における通信システム３０のシステム構成例を示す図である。
【図１４】本技術の第２の実施の形態における通信システム１０を構成する各装置間における通信処理例を示すシーケンスチャートである。
【図１５】本技術の第２の実施の形態における通信システム３０を構成する各情報処理装置間でやり取りされるフレームの構成例を示す図である。
【図１６】本技術の第２の実施の形態における通信システム３０を構成する各情報処理装置間でやり取りされるフレームの構成例を示す図である。
【図１７】本技術の第２の実施の形態における通信システム３０を構成する各情報処理装置間でやり取りされるフレームの構成例を示す図である。
【図１８】本技術の第２の実施の形態における通信システム３０を構成する各情報処理装置間に表示される表示画面例を示す図である。
【図１９】本技術の第２の実施の形態における通信システム３０を構成する各情報処理装置間に表示される表示画面例を示す図である。
【図２０】本技術の第２の実施の形態における通信システム３０を構成する各情報処理装置間に表示される表示画面例を示す図である。
【図２１】本技術の第２の実施の形態における通信システム３０を構成する各情報処理装置間に表示される表示画面例を示す図である。
【図２２】本技術の第２の実施の形態における通信システム３０を構成する各情報処理装置間に表示される表示画面例を示す図である。
【図２３】本技術の第２の実施の形態における通信システム３０を構成する各情報処理装置間に表示される表示画面例を示す図である。
【図２４】本技術の第２の実施の形態における通信システム３０を構成する各情報処理装置間に表示される表示画面例を示す図である。
【図２５】本技術の第２の実施の形態における通信システム３０を構成する各情報処理装置間に表示される表示画面例を示す図である。
【図２６】本技術の第２の実施の形態における通信システム３０を構成する各情報処理装置間に表示される表示画面例を示す図である。
【図２７】本技術の第２の実施の形態における通信システム１０を構成する各装置間における通信処理例を示すシーケンスチャートである。
【図２８】本技術の第２の実施の形態における通信システム１０を構成する各装置間における通信処理例を示すシーケンスチャートである。
【図２９】本技術の第２の実施の形態における情報処理装置５１０により保持される周辺装置リスト６５０を模式的に示す図である。
【図３０】本技術の第２の実施の形態における情報処理装置５００による管理設定処理の処理手順の一例を示すフローチャートである。
【図３１】本技術の第２の実施の形態における情報処理装置５１０による管理処理の処理手順の一例を示すフローチャートである。
【図３２】スマートフォンの概略的な構成の一例を示すブロック図である。
【図３３】カーナビゲーション装置の概略的な構成の一例を示すブロック図である。
【発明を実施するための形態】
【００２４】
以下、本技術を実施するための形態（以下、実施の形態と称する）について説明する。説明は以下の順序により行う。
１．第１の実施の形態（情報処理装置間で通信を行うための中継局にインセンティブを与えてその通信中に特定場所に滞在してもらう例）
２．第２の実施の形態（情報処理装置を所有するユーザを特定場所に滞在させる例）
３．応用例
【００２５】
＜１．第１の実施の形態＞
［通信システムの構成例］
図１は、本技術の第１の実施の形態における通信システム１０のシステム構成例を示す図である。
【００２６】
通信システム１０は、情報処理装置１００乃至１０４、２００乃至２０５、３００を備える。
【００２７】
情報処理装置１００乃至１０４、２００乃至２０５、３００は、例えば、無線通信機能を備える携帯型の情報処理装置である。ここで、携帯型の情報処理装置は、例えば、スマートフォン、携帯電話、タブレット端末等の情報処理装置である。また、情報処理装置１００乃至１０４、２００乃至２０５、３００は、例えば、無線通信機能を備える固定型の情報処理装置とするようにしてもよい。なお、固定型の情報処理装置は、例えば、プリンタ、パーソナルコンピュータ、オブジェクト等の情報処理装置である。
【００２８】
また、情報処理装置１００乃至１０４、２００乃至２０５、３００は、無線ＬＡＮ（Local Area Network）の通信方式により無線通信を行うことができる。また、情報処理装置１００乃至１０４、２００乃至２０５、３００は、他の通信方式により無線通信を行うようにしてもよい。例えば、３ＧＰＰ（3rd Generation Partnership Project）仕様の通信方式により無線通信を行うようにしてもよい。
【００２９】
また、図１では、各装置間で行われる無線通信の通信経路を直線の点線で示す。なお、各装置間で行われる無線通信は、例えば、周囲の情報処理装置と自律的に相互接続する通信方法により実現される。なお、周囲の情報処理装置は、例えば、近接する情報処理装置、隣接する情報処理装置である。
【００３０】
ここで、周囲の情報処理装置と自律的に相互接続する通信方法として、アドホック通信やアドホックネットワーク等が知られている。このようなネットワークにおいては、各情報処理装置は、マスタ局（例えば、制御装置）に依存することなく、周囲の情報処理装置と相互に通信を行うことが可能である。そこで、本技術の第１の実施の形態では、周囲の情報処理装置と自律的に相互接続する通信方法として、アドホックネットワークやメッシュネットワークを例にして説明する。
【００３１】
アドホックネットワークでは、周囲に新たな情報処理装置が追加されると、この新たな情報処理装置も自由にネットワークに参加することができる。このように、情報処理装置（周囲の情報処理装置）が増加するのに応じて、ネットワークのカバー範囲を増加させることができる。すなわち、情報処理装置が順次追加されるのに応じて、ネットワークのカバー範囲を増加させることができる。
【００３２】
例えば、情報処理装置１００乃至１０４は、メッシュグループ（ｍｅｓｈ  ｇｒｏｕｐ）を既に形成しているものとする。また、例えば、情報処理装置２００乃至２０５は、メッシュグループ（ｍｅｓｈ  ｇｒｏｕｐ）を既に形成しているものとする。
【００３３】
ここで、各情報処理装置は、周囲の情報処理装置と自律的に相互接続する以外に、他の情報処理装置間でやりとりされる情報をバケツリレー的に転送することも可能である。
【００３４】
例えば、電波が届かない等の理由により、情報処理装置１００と直接通信することができない情報処理装置（例えば、情報処理装置２００）が存在する場合を想定する。このように直接通信ができない場合でも、情報処理装置１００との直接通信が可能な情報処理装置３００が情報処理装置１００のデータを、情報処理装置２００に転送することが可能である。そこで、このようにデータを転送することにより、情報処理装置１００と、情報処理装置１００と直接通信することができない情報処理装置２００とは、情報処理装置３００を経由して、互いに情報のやり取りを行うことが可能となる。
【００３５】
このように互いにデータ転送（いわゆる、バケツリレー）を行い、遠くの情報処理装置に情報を届ける方法は、マルチホップ・リレーと称されている。また、マルチホップを行うネットワークは、メッシュネットワークとして一般的に知られている。
【００３６】
このように、情報処理装置１００および２００は、中継局である情報処理装置３００を介して通信することができる。しかしながら、情報処理装置３００が、情報処理装置１００および２００のうちの少なくとも１つとの通信ができないような場所に移動してしまうと、情報処理装置１００および２００は、通信を行うことができなくなる。
【００３７】
例えば、情報処理装置２００のユーザが、情報処理装置１００からのデータの受信を希望する場合を想定する。この場合には、情報処理装置２００のユーザは、そのデータの受信が完了するまでの間、情報処理装置１００および２００のそれぞれとの通信が可能な範囲に、中継局である情報処理装置３００に滞在してもらう必要がある。
【００３８】
そこで、本技術の第１の実施の形態では、中継局に滞在してもらう必要がある場合に、その中継局（すなわち、中継局のユーザ）にインセンティブを与える例を示す。これにより、ユーザが希望するデータ通信が終了するまでの間、そのデータ通信を行うことが可能な場所に中継局に滞在してもらうことができる。
【００３９】
ここで、インセンティブは、ある行動を起こさせる動機付けや誘発剤となるものを意味する。例えば、インセンティブは、割引券、サービス券、ポイント、金券等のように、その使用に制約が付されるが、お金と同等の価値に置き換えられるものにより実現することができる。また、例えば、インセンティブは、物事と引き換えにできるもの、褒美のような条件をクリアすることにより一方的に与えられるもの、貢献の度合いを示すことにより、価値の高さを示すようなものにより実現することができる。例えば、インセンティブの付与は、インセンティブを実現するための情報（例えば、インセンティブを実現するためのポイント）の付与とすることができる。
【００４０】
［情報処理装置の構成例］
図２は、本技術の第１の実施の形態における情報処理装置１００の内部構成例を示すブロック図である。なお、他の情報処理装置（情報処理装置１０１乃至１０４、２００乃至２０５、３００）の内部構成についても、情報処理装置１００と略同一であるため、ここでは、情報処理装置１００についてのみ説明し、他の情報処理装置の説明を省略する。
【００４１】
情報処理装置１００は、無線通信部１１０と、アンテナ１２０と、Ｉ／Ｏ（Input/Output）インタフェース１３０と、記憶部１４０と、制御部１５０と、操作受付部１６０と、表示部１７０とを備える。また、これらの各部は、バス１９０を介して接続される。
【００４２】
無線通信部１１０は、アンテナ１２０を介して、電波の送受信を行うためのモジュール（例えば、セルラーモデム、無線ＬＡＮ（Local Area Network）モデム）である。例えば、無線通信部１１０は、無線ＬＡＮの通信方式により無線通信を行うことができる。また、例えば、無線通信部１１０は、３ＧＰＰ仕様の通信方式により無線通信を行うようにしてもよい。また、例えば、無線通信部１１０は、ミリ波通信（６０ＧＨｚ等）、９００ＭＨｚ／２．４ＧＨｚ／５ＧＨｚ無線ＬＡＮ、ＵＷＢ（Ultra Wide Band）により無線通信を行うようにしてもよい。また、例えば、無線通信部１１０は、可視光通信、ＮＦＣ（Near Field Communication）により無線通信を行うようにしてもよい。
【００４３】
また、例えば、無線通信部１１０は、制御部１５０の制御に基づいて、ある情報処理装置を経由して他の情報処理装置に各情報を転送することができる。このように互いにデータ転送（いわゆる、バケツリレー）を行い、遠くの情報処理装置に情報を届ける方法は、マルチホップ・リレーと称されている。また、マルチホップを行うネットワークは、メッシュネットワークとして一般的に知られている。このように、データ転送を行う場合には、無線通信部１１０は、マルチホップの通信経路の生成または更新のための信号のやりとりを他の情報処理装置との間で無線通信を利用して行う。
【００４４】
また、無線通信部１１０は、電波（電磁波）を用いた無線通信を行うようにしてもよく、電波以外の媒体を用いた無線通信（例えば、磁界を用いて行われる無線通信）を行うようにしてもよい。
【００４５】
Ｉ／Ｏインタフェース１３０は、情報処理装置１００と連動して動作するセンサ・アクチュエータ等の外部装置とのインタフェースである。図２では、外部装置として、状態検出部１８１および音声出力部１８２がＩ／Ｏインタフェース１３０に接続される例を示す。また、図２では、状態検出部１８１および音声出力部１８２を情報処理装置１００の外部に設ける例を示すが、これらの全部または一部を情報処理装置１００に内蔵するようにしてもよい。また、ウェアラブルコンピュータ、ウェアラブル端末等の外部装置をＩ／Ｏインタフェース１３０に接続して用いるようにしてもよい。
【００４６】
状態検出部１８１は、情報処理装置１００の加速度、動き、傾き等を検出することにより情報処理装置１００の状態（例えば、位置、姿勢、移動距離）を検出するものである。そして、状態検出部１８１は、その検出された状態に関する状態情報を、Ｉ／Ｏインタフェース１３０を介して制御部１５０に出力する。なお、状態検出部１８１として、例えば、加速度センサ、ジャイロセンサ、ＧＰＳ（Global Positioning System）を用いることができる。
【００４７】
音声出力部１８２は、制御部１５０の制御に基づいて、各種音声を出力する音声出力部（例えば、スピーカ）である。
【００４８】
記憶部１４０は、各種情報を格納するメモリである。例えば、記憶部１４０には、情報処理装置１００が所望の動作を行うために必要となる各種情報（例えば、制御プログラム）が格納される。また、記憶部１４０には、音楽コンテンツや画像コンテンツ（例えば、動画コンテンツ、静止画コンテンツ）等の各種コンテンツが格納される。
【００４９】
制御部１５０は、記憶部１４０に格納されている制御プログラムに基づいて情報処理装置１００の各部を制御するものである。例えば、制御部１５０は、送受信した情報の信号処理を行う。また、制御部１５０は、ＣＰＵ（Central Processing Unit）により実現される。
【００５０】
例えば、無線通信を利用して無線通信部１１０によりデータを送信する場合には、制御部１５０は、記憶部１４０から読み出された情報やＩ／Ｏインタフェース１３０から入力された信号等を処理し、実際に送信するデータの塊（送信パケット）を生成する。続いて、制御部１５０は、その生成された送信パケットを無線通信部１１０に出力する。また、無線通信部１１０は、その送信パケットを、実際に伝送するための通信方式のフォーマット等に変換した後に、変換後の送信パケットをアンテナ１２０から外部に送信する。
【００５１】
また、例えば、無線通信を利用して無線通信部１１０によりデータを受信する場合には、無線通信部１１０は、アンテナ１２０を介して受信した電波信号を、無線通信部１１０内の受信機が行う信号処理により受信パケットを抽出する。そして、制御部１５０は、その抽出された受信パケットを解釈する。この解釈の結果、保持すべきデータであると判断された場合には、制御部１５０は、そのデータを記憶部１４０に書き込む。また、他の情報処理装置に転送すべきデータであると判断された場合には、制御部１５０は、他の情報処理装置に転送するための送信パケットとして、そのデータを無線通信部１１０に出力する。また、出力すべきデータであると判断された場合には、制御部１５０は、表示部１７０への出力や、Ｉ／Ｏインタフェース１３０から外部（例えば、音声出力部１８２）への出力を行う。
【００５２】
例えば、制御部１５０は、記憶部１４０に格納されている各種コンテンツを、無線通信を利用して他の情報処理装置に提供することができる。
【００５３】
また、例えば、制御部１５０は、ネットワークにおける他の情報処理装置に特定場所に滞在することを要求する滞在要求を送信し、その情報処理装置が特定場所に滞在することを条件にその情報処理装置にインセンティブを付与する制御を行う。
【００５４】
また、例えば、制御部１５０は、ネットワークにおける他の情報処理装置から特定場所に滞在することを要求する滞在要求を受信する受信処理を行う。この場合に、制御部１５０は、情報処理装置１００が特定場所に滞在することを条件にその情報処理装置から付与されるインセンティブに基づく処理（例えば、特定アプリケーションの起動）を行う。
【００５５】
操作受付部１６０は、ユーザにより行われた操作入力を受け付ける操作受付部であり、受け付けられた操作入力に応じた操作情報を制御部１５０に出力する。操作受付部１６０は、例えば、タッチパネル、キーボード、マウス、センサ（例えば、タッチインタフェース）により実現される。
【００５６】
表示部１７０は、制御部１５０の制御に基づいて各種情報を表示する表示部である。なお、表示部１７０として、例えば、有機ＥＬ（Electro Luminescence）パネル、ＬＣＤ（Liquid Crystal Display）パネル等の表示パネルを用いることができる。なお、操作受付部１６０および表示部１７０については、使用者がその指を表示面に接触または近接することにより操作入力を行うことが可能なタッチパネルを用いて一体で構成することができる。
【００５７】
［通信例］
図３は、本技術の第１の実施の形態における通信システム１０を構成する各装置間における通信処理例を示すシーケンスチャートである。なお、図３では、情報処理装置１００、２００、３００が、図１に示すトポロジで存在している場合における通信処理例を示す。
【００５８】
また、図３では、情報処理装置３００を中継局として、情報処理装置１００および２００間で行われる情報のやりとりの一例を示す。具体的には、情報処理装置３００を経由して、情報処理装置２００が、情報処理装置１００に格納されているデータの送信を情報処理装置１００に要求する例を示す。また、図３では、中継局である情報処理装置３００がインセンティブを算出し、滞在要求を送信した情報処理装置２００にその算出されたインセンティブを要求する例を示す。
【００５９】
情報処理装置２００は、情報処理装置１００からデータを送信してもらうため、データ送信要求（データ送信リクエスト信号）を、情報処理装置３００を経由して情報処理装置１００に送信する（４０１乃至４０４）。
【００６０】
そのデータ送信要求を受信した場合には（４０４）、情報処理装置１００は、そのデータ送信要求に係るデータ送信が可能であるか否かを判断する。そして、情報処理装置１００は、そのデータ送信要求に係るデータ送信が可能である場合には、データ送信が可能である旨を示すパケット（送信承認通知）を、情報処理装置３００を経由して情報処理装置２００に送信する（４０５乃至４０８）。
【００６１】
また、情報処理装置１００は、そのデータ送信要求に係るデータ送信が可能である場合には、データトラフィック（ｄａｔａ  ｔｒａｆｆｉｃ）の生成（送信データの準備）を行う（４０９）。この送信データの準備は、そのデータ送信要求に係るデータ送信を開始するまでの間であれば、どのタイミングで行うようにしてもよい。
【００６２】
送信承認通知を受信した場合には（４０８）、情報処理装置２００は、データ送信要求に係るデータを受信するために必要な時間を算出する。例えば、情報処理装置２００は、データ送信要求に係るデータのデータ量と最低レートとに基づいて、その時間を算出することができる。なお、その時間を算出する際に、環境によっては、最低レートの代わりに、最適レートを用いるようにしてもよい。また、環境によって、他の通信レートを用いるようにしてもよい。また、本技術の第１の実施の形態では、そのように算出された時間を、情報処理装置３００に滞在して欲しい時間（滞在時間）とする。
【００６３】
情報処理装置２００は、そのように算出された時間を特定するための情報（例えば、時間長（例えば、１０ｓｅｃ））を含めたパケット（リクエスト信号（滞在要求））を情報処理装置３００に送信する（４１０、４１１）。この場合に、情報処理装置２００および３００間は直接通信が可能であるため、情報処理装置２００は、その滞在要求を情報処理装置３００に直接送信する（４１０、４１１）。
【００６４】
滞在要求を受信した場合には（４１１）、情報処理装置３００は、その滞在要求を送信した情報処理装置２００に要求するインセンティブを算出する（４１２）。
【００６５】
続いて、情報処理装置３００は、滞在要求を受信した旨をユーザに通知する。例えば、滞在要求を受信した旨と、その滞在要求に係る滞在時間（例えば、１０ｓｅｃ）と、算出されたインセンティブ（例えば、数値）とを情報処理装置３００の表示部に表示することによりユーザに通知することができる。また、例えば、滞在要求を受信した旨と、その滞在要求に係る滞在時間と、算出されたインセンティブとを音声出力することによりユーザに通知することができる。
【００６６】
このように通知が行われた場合には、ユーザは、その滞在要求を承認するか否かを判断し、その滞在要求を承認するか否かの操作入力を行う。図３では、その滞在要求を承認する操作入力が受け付けられた場合の例を示す。
【００６７】
このように、ユーザによりその滞在要求を承認する操作入力が受け付けられた場合には（４１３）、情報処理装置３００は、その滞在要求を承認する旨の通知（滞在承認通知）と、インセンティブ要求とを、情報処理装置２００に送信する（４１４、４１５）。なお、インセンティブ要求は、算出されたインセンティブを要求するための情報である。
【００６８】
また、情報処理装置３００は、情報処理装置２００にデータ送信中継を許可した旨（滞在承認通知）を情報処理装置１００に送信する（４１６、４１７）。この場合に、情報処理装置１００および３００間は、直接通信が可能であるため、情報処理装置３００は、その滞在承認通知を情報処理装置１００に直接送信する（４１６、４１７）。
【００６９】
滞在承認通知を受信した場合には（４１７）、情報処理装置１００は、情報処理装置２００へのデータ送信を開始する（４１８乃至４２１）。このデータ送信が行われている間、情報処理装置３００は、情報処理装置１００および情報処理装置２００の双方との通信可能な範囲に滞在する必要がある。すなわち、情報処理装置３００は、情報処理装置１００から情報処理装置２００へのデータ送信が開始されてから、滞在要求に係る滞在時間（例えば、１０ｓｅｃ）が経過するまでの間、移動せずに、同一場所（または、その周囲の場所）に滞在する必要がある。
【００７０】
また、情報処理装置１００から情報処理装置２００へのデータ送信が終了した場合には（４１８乃至４２１）、情報処理装置２００は、要求されたインセンティブを情報処理装置３００に送信する（４２２、４２３）。例えば、要求されたインセンティブを情報処理装置３００のユーザが使用することができる情報（例えば、ポイント情報）が、情報処理装置２００から情報処理装置３００に送信される（４２２、４２３）。すなわち、情報処理装置２００のユーザから情報処理装置３００のユーザにインセンティブが譲渡される（４２２、４２３）。このインセンティブの譲渡により、一連の処理が終了する。
【００７１】
なお、滞在要求を承認しない操作入力が受け付けられた場合には、情報処理装置３００は、その滞在要求を承認しない旨の通知（滞在未承認通知）を情報処理装置２００に送信する。この場合には、情報処理装置３００を中継局として使用することができないため、情報処理装置２００は、情報処理装置１００からのデータを受信することはできない。ただし、情報処理装置１００および２００間に、複数の中継局が存在する場合には、最初に滞在要求をした中継局（最適ルート）が未承認であったときでも、次の中継局（次の最適ルート）に滞在要求を行うことができる。同様に、３番目以降の中継局（次の最適ルート）に滞在要求を順次行うことができる。
【００７２】
また、図３では、滞在要求を承認するか否かをユーザによる手動操作で行う例を示したが、全ての滞在要求を承認することを予めユーザが設定しておくようにしてもよい。この場合には、滞在要求を受信する毎に、情報処理装置３００は、滞在要求を送信した情報処理装置に自動で滞在承認通知を送信することができる。
【００７３】
また、中継局が、滞在要求を同時（または、ほぼ同時）に複数受け付けることも想定される。このような場合には、滞在要求を送信した各情報処理装置を信頼度の順位で並べて表示するようにしてもよい。この場合には、中継を許可する情報処理装置をユーザが手動で選択することができる。または、信頼度の高い上位の情報処理装置には、自動で中継を許可するようにしてもよい。
【００７４】
［インセンティブの算出例］
図４は、本技術の第１の実施の形態における通信システム１０を構成する中継局によるインセンティブの算出例を示す図である。図４では、インセンティブのウエイト（Ｗｅｉｇｈｔ）の計算方法を示す。
【００７５】
図４では、情報処理装置４３３を中継局として、情報処理装置４３１および４３２間でデータ通信を行う場合の例を示す。情報処理装置４３３は、次の式１を用いて、インセンティブのウエイトＷを算出することができる。
Ｗ＝ｗ（ｔ，ｎ，ｄ）  …  式１
【００７６】
ここで、ｔは、滞在時間（Ｔｉｍｅ）を示す値である。また、ｎは、中継局の数（ｎｕｍ  ｏｆ  ｒｅｌａｙ  ｎｏｄｅ）を示す値である。また、ｄは、各装置間の距離（ｄｉｓｔａｎｃｅ）を示す値である。
【００７７】
最初に、滞在時間に基づいて、インセンティブのウエイトＷを算出する例を示す。例えば、滞在時間が長いほど、インセンティブが高くなるように、インセンティブのウエイトＷが算出される。
【００７８】
例えば、ｔ１＜ｔ２＜ｔ３である場合には、ｗ（ｔ１，ｎ，ｄ）＜ｗ（ｔ２，ｎ，ｄ）＜ｗ（ｔ３，ｎ，ｄ）とする。
【００７９】
次に、中継局の数に基づいて、インセンティブのウエイトＷを算出する例を示す。例えば、中継局が多いほど、インセンティブが高くなるように、インセンティブのウエイトＷが算出される。
【００８０】
例えば、ｎ１＜ｎ２＜ｎ３である場合には、ｗ（ｔ，ｎ１，ｄ）＜ｗ（ｔ，ｎ２，ｄ）＜ｗ（ｔ，ｎ３，ｄ）とする。
【００８１】
ここで、中継局の数は、例えば、情報処理装置４３１および４３２の外側の中継局の数とすることができる。この場合には、中継局が多いほど、各ネットワーク間の通信が行い易くなる。このため、インセンティブが高くなるように、インセンティブのウエイトＷが算出される。
【００８２】
また、中継局の数を、例えば、情報処理装置４３１および４３２の内側の中継局の数とすることもできる。この場合には、中継局が多いほど、選択することができる中継局が多く存在することになる。このため、中継局が多いほど、インセンティブが低くなるように、インセンティブのウエイトＷを算出することが好ましい。
【００８３】
次に、各装置間の距離に基づいて、インセンティブのウエイトＷを算出する例を示す。例えば、データ送信元および自装置（中継局）間の距離と、データ送信先および自装置（中継局）間の距離とが等しいほど、インセンティブが高くなるように、インセンティブのウエイトＷを算出することができる。
【００８４】
例えば、情報処理装置４３１および４３２間の距離を２×Ｒ１とする。この場合に、次の各条件式を満たす場合には、ｗ（ｔ，ｎ，Ｄ１）＜ｗ（ｔ，ｎ，Ｄ２）＜ｗ（ｔ，ｎ，Ｄ３）とする。
（Ｒ１−Ｒ３）＜Ｄ０＜Ｒ１
（Ｒ１−Ｒ２）＜Ｄ１＜（Ｒ１−Ｒ３）
０＜Ｄ２＜（Ｒ１−Ｒ２）
【００８５】
ここで、装置間の距離を算出する算出方法として、他の情報処理装置からのパケットの測定結果（例えば、受信信号強度）を用いる算出方法を採用することができる。例えば、ＲＴＴ（Round Trip Time）、ＲＳＳＩ（Received Signal Strength Indicator）等を用いることができる。
【００８６】
例えば、情報処理装置４３３が情報処理装置４３１から受信するパケットのＲＳＳＩを、ＲＳＳＩ＿Ａとする。また、情報処理装置４３３が情報処理装置４３２から受信するパケットのＲＳＳＩを、ＲＳＳＩ＿Ｂとする。
【００８７】
この場合に、次の式を満たす場合に、情報処理装置４３３および４３１間の距離と、情報処理装置４３３および４３２間の距離とが同一または略同一であると判断することができる。
ＲＳＳＩ＿Ａ［ｄＢｍ］≒ＲＳＳＩ＿Ｃ［ｄＢｍ］
【００８８】
このように、情報処理装置４３３および４３１間の距離と、情報処理装置４３３および４３２間の距離とが同一または略同一である場合には、インセンティブが高くなるように、インセンティブのウエイトＷが算出される。
【００８９】
このように、情報処理装置４３３の制御部は、情報処理装置４３１乃至４３３のそれぞれの相対的な位置関係に基づいて、インセンティブを決定することができる。また、情報処理装置４３３の制御部は、ネットワークにおいて、データの受信に関与が可能な情報処理装置（例えば、データ通信を行う装置間の外側の中継局、または、その内側の中継局の数）の数に基づいて、インセンティブを決定することができる。また、情報処理装置４３３の制御部は、情報処理装置４３３が特定場所に滞在する時間に基づいて、インセンティブを決定することができる。
【００９０】
［データを中継する情報処理装置の動作例］
図５および図６は、本技術の第１の実施の形態における情報処理装置３００によるデータ中継処理の処理手順の一例を示すフローチャートである。
【００９１】
情報処理装置３００の制御部（図２に示す制御部１５０に相当）は、情報処理装置３００が移動しているか否かを判断する（ステップＳ７０１）。この場合に、情報処理装置３００の制御部は、情報処理装置３００が絶対的な位置の移動をしているか否かを判断するようにしてもよく、情報処理装置３００が相対的な位置の移動をしているか否かを判断するようにしてもよい。なお、絶対的な位置の移動は、例えば、地面に対して情報処理装置３００が移動することを意味する。この場合には、例えば、情報処理装置３００の制御部は、状態検出部（図２に示す状態検出部１８１に相当）からの状態情報に基づいて、情報処理装置３００は移動しているか否かを判断することができる。また、相対的な位置の移動は、例えば、他の情報処理装置の位置を基準とした場合に、他の情報処理装置の位置との関係で情報処理装置３００が移動することを意味する。すなわち、相対的な位置の移動の判断では、例えば、情報処理装置３００および他の情報処理装置間の距離が変更した場合に、情報処理装置３００が移動したと判断することができる。情報処理装置３００が移動している場合には（ステップＳ７０１）、中継局となることが好ましくない。このため、データ中継処理の動作を終了する。
【００９２】
情報処理装置３００が移動していない場合には（ステップＳ７０１）、情報処理装置３００の制御部は、滞在要求を受信したか否かを判断する（ステップＳ７０２）。そして、滞在要求を受信していない場合には（ステップＳ７０２）、ステップＳ７０１に戻る。また、滞在要求を受信した場合には（ステップＳ７０２）、情報処理装置３００の制御部は、情報処理装置３００において滞在要求を受け入れる設定がされているか否かを判断する（ステップＳ７０３）。この設定は、例えば、ユーザ操作により予め行われているものとする。そして、滞在要求を受け入れる設定がされていない場合には（ステップＳ７０３）、ステップＳ７０１に戻る。
【００９３】
また、滞在要求を受け入れる設定がされている場合には（ステップＳ７０３）、情報処理装置３００の制御部は、その滞在要求を送信した情報処理装置に要求するインセンティブを算出する（ステップＳ７０４）。
【００９４】
続いて、情報処理装置３００の制御部は、滞在要求を受信した旨をユーザに通知する（ステップＳ７０５）。続いて、情報処理装置３００の制御部は、ユーザによりその滞在要求を承認する操作入力（承認操作）が受け付けられたか否かを判断する（ステップＳ７０６）。
【００９５】
承認操作が受け付けられた場合には（ステップＳ７０６）、情報処理装置３００の制御部は、その滞在要求を承認する旨の通知（滞在承認通知）と、インセンティブ要求とを、その滞在要求を送信した情報処理装置に送信する（ステップＳ７０７）。
【００９６】
また、情報処理装置３００の制御部は、その滞在承認通知を、データの送信元の情報処理装置に送信する（ステップＳ７０８）。
【００９７】
また、滞在要求を承認しない操作入力（未承認操作）が受け付けられた場合には（ステップＳ７０６）、情報処理装置３００の制御部は、滞在要求を承認しない旨の通知（滞在未承認通知）を、その滞在要求を送信した情報処理装置に送信する（ステップＳ７０９）。
【００９８】
また、情報処理装置３００の制御部は、その滞在未承認通知を、データの送信元の情報処理装置に送信する（ステップＳ７１０）。
【００９９】
また、情報処理装置３００の制御部は、データの送信元の情報処理装置からのデータ送信が開始されたか否かを判断する（ステップＳ７１１）。そして、そのデータ送信が開始されていない場合には（ステップＳ７１１）、監視を継続して行う。一方、そのデータ送信が開始された場合には（ステップＳ７１１）、情報処理装置３００の制御部は、滞在要求に係るカウントを開始する（ステップＳ７１２）。
【０１００】
続いて、情報処理装置３００の制御部は、そのカウントが滞在要求に係る滞在時間に達したか否かを判断する（ステップＳ７１３）。そして、そのカウントが滞在要求に係る滞在時間に達するまでの間（ステップＳ７１３）、監視を継続して行う。この場合に、情報処理装置３００の制御部は、情報処理装置３００が移動したか否かを判断し、情報処理装置３００が大きく移動したような場合には、警告通知を行うようにしてもよい。
【０１０１】
そのカウントが滞在要求に係る滞在時間に達した場合には（ステップＳ７１３）、情報処理装置３００の制御部は、その滞在要求を送信した情報処理装置からインセンティブを受信したか否かを判断する（ステップＳ７１４）。そして、その滞在要求を送信した情報処理装置からインセンティブを受信した場合には（ステップＳ７１４）、データ中継処理の動作を終了する。
【０１０２】
また、その滞在要求を送信した情報処理装置からインセンティブを受信していない場合には（ステップＳ７１４）、情報処理装置３００の制御部は、その滞在要求を送信した情報処理装置に、インセンティブ要求を再送信する（ステップＳ７１５）。
【０１０３】
続いて、情報処理装置３００の制御部は、その滞在要求を送信した情報処理装置からインセンティブを受信したか否かを判断する（ステップＳ７１６）。そして、その滞在要求を送信した情報処理装置からインセンティブを受信した場合には（ステップＳ７１６）、データ中継処理の動作を終了する。
【０１０４】
また、その滞在要求を送信した情報処理装置からインセンティブを受信していない場合には（ステップＳ７１６）、所定回数（例えば、Ｎ回）、上述した各処理を繰り返し行う（ステップＳ７１４乃至Ｓ７１７）。
【０１０５】
［データ送信を要求する情報処理装置の動作例］
図７は、本技術の第１の実施の形態における情報処理装置２００によるデータ受信処理の処理手順の一例を示すフローチャートである。
【０１０６】
情報処理装置２００の制御部（図２に示す制御部１５０に相当）は、情報処理装置１００からデータを送信してもらうため、データ送信要求（データ送信リクエスト信号）を、情報処理装置３００を経由して情報処理装置１００に送信する（ステップＳ７２１）。
【０１０７】
続いて、情報処理装置２００の制御部は、送信承認通知を受信したか否かを判断する（ステップＳ７２２）。そして、送信承認通知を受信していない場合には（ステップＳ７２２）、所定回数（例えば、Ｎ回）、上述した各処理を繰り返し行う（ステップＳ７２１乃至Ｓ７２３）。
【０１０８】
送信承認通知を受信した場合には（ステップＳ７２２）、情報処理装置２００の制御部は、データ送信要求に係るデータを受信するために必要な時間を算出する。そして、情報処理装置２００の制御部は、そのように算出された時間を含めたパケット（リクエスト信号（滞在要求））を情報処理装置３００に送信する（ステップＳ７２４）。
【０１０９】
続いて、情報処理装置２００の制御部は、滞在承認通知を受信したか否かを判断する（ステップＳ７２５）。そして、滞在承認通知を受信していない場合には（ステップＳ７２５）、所定回数（例えば、Ｎ回）、上述した各処理を繰り返し行う（ステップＳ７２４乃至Ｓ７２６）。
【０１１０】
滞在承認通知を受信した場合には（ステップＳ７２５）、情報処理装置２００の制御部は、情報処理装置１００からのデータを受信するための受信処理を行う（ステップＳ７２７）。そして、情報処理装置２００の制御部は、情報処理装置１００からのデータ送信が終了したか否かを判断する（ステップＳ７２８）。情報処理装置１００からのデータ送信が終了していない場合には（ステップＳ７２８）、ステップＳ７２７に戻る。
【０１１１】
情報処理装置１００からのデータ送信が終了した場合には（ステップＳ７２８）、情報処理装置２００の制御部は、要求されたインセンティブを情報処理装置３００に送信する（ステップＳ７２９）。
【０１１２】
［データを送信する情報処理装置の動作例］
図８は、本技術の第１の実施の形態における情報処理装置１００によるデータ送信処理の処理手順の一例を示すフローチャートである。
【０１１３】
情報処理装置１００の制御部１５０は、データ送信要求を受信したか否かを判断する（ステップＳ７３１）。そして、データ送信要求を受信していない場合には（ステップＳ７３１）、監視を継続して行う。
【０１１４】
また、データ送信要求を受信した場合には（ステップＳ７３１）、情報処理装置１００の制御部１５０は、そのデータ送信要求に係るデータ送信が可能であるか否かを判断する（ステップＳ７３２）。そして、情報処理装置１００は、そのデータ送信要求に係るデータ送信が可能である場合には（ステップＳ７３２）、データ送信が可能である旨を示すパケット（送信承認通知）を、情報処理装置３００を経由して情報処理装置２００に送信する（ステップＳ７３３）。
【０１１５】
また、情報処理装置１００の制御部１５０は、そのデータ送信要求に係るデータ送信が可能である場合には、データトラフィック（ｄａｔａ  ｔｒａｆｆｉｃ）の生成（送信データの準備）を行う（ステップＳ７３４）。
【０１１６】
続いて、情報処理装置１００の制御部１５０は、滞在承認通知を受信したか否かを判断する（ステップＳ７３５）。滞在承認通知を受信しない場合には（ステップＳ７３５）、ステップＳ７３１に戻る。
【０１１７】
滞在承認通知を受信した場合には（ステップＳ７３５）、情報処理装置１００の制御部１５０は、情報処理装置２００へのデータ送信を開始する（ステップＳ７３６）。そして、情報処理装置１００の制御部１５０は、情報処理装置２００へのデータ送信が終了したか否かを判断する（ステップＳ７３７）。そして、情報処理装置２００へのデータ送信が終了していない場合には（ステップＳ７３７）、ステップＳ７３６に戻る。また、情報処理装置２００へのデータ送信が終了した場合には（ステップＳ７３７）、データ送信処理の動作を終了する。
【０１１８】
［滞在要求を行う情報処理装置がインセンティブを算出する例］
以上では、中継局（情報処理装置３００）がインセンティブを算出する例を示した。ここで、滞在要求を行う情報処理装置（情報処理装置２００）がインセンティブを算出するようにしてもよい。そこで、以下では、滞在要求を行う情報処理装置（情報処理装置２００）がインセンティブを算出する例を示す。
【０１１９】
［通信例］
図９は、本技術の第１の実施の形態における通信システム１０を構成する各装置間における通信処理例を示すシーケンスチャートである。なお、図９は、図３の一部を変形したものである。このため、図３と共通する部分については、図３と同一の符号を付してこれらの説明の一部を省略する。
【０１２０】
送信承認通知を受信した場合には（４０８）、情報処理装置２００は、インセンティブを算出する（４３１）。そして、情報処理装置２００は、その算出されたインセンティブを滞在要求に含めて情報処理装置３００に送信する（４３２、４３３）。これにより、情報処理装置３００は、情報処理装置２００により算出されたインセンティブを用いることができる。
【０１２１】
［データを中継する情報処理装置の動作例］
図１０は、本技術の第１の実施の形態における情報処理装置３００によるデータ中継処理の処理手順の一例を示すフローチャートである。なお、図１０は、図５の一部を変形したものである。このため、図５と共通する部分については、図５と同一の符号を付してこれらの説明の一部を省略する。
【０１２２】
具体的には、情報処理装置２００がインセンティブを算出するため、情報処理装置３００は、インセンティブを算出しない。このため、図５に示すインセンティブ算出処理（ステップＳ７０４）が省略される。
【０１２３】
［データ送信を要求する情報処理装置の動作例］
図１１は、本技術の第１の実施の形態における情報処理装置２００によるデータ受信処理の処理手順の一例を示すフローチャートである。なお、図１１は、図７の一部を変形したものである。このため、図７と共通する部分については、図７と同一の符号を付してこれらの説明の一部を省略する。
【０１２４】
送信承認通知を受信した場合には（ステップＳ７２２）、情報処理装置２００の制御部は、中継局に付与するインセンティブを算出する（ステップＳ７３０）。そして、情報処理装置２００の制御部は、そのように算出されたインセンティブを含めた滞在要求を情報処理装置３００に送信する（ステップＳ７２４）。
【０１２５】
＜２．第２の実施の形態＞
本技術の第１の実施の形態では、情報処理装置間で通信を行うための中継局にインセンティブを与えてその通信中に特定場所に滞在してもらう例を示した。ここで、例えば、スーパーマーケット等の広い商業施設において、家族で買い物をするような場合に、親は、子供がある特定場所（例えば、商業施設内の遊び場）にいることを希望することが想定される。しかしながら、子供は、親または他の人（商業施設の担当者）が監視をしない限り、親が希望する範囲内に滞在することは少ないと想定される。
【０１２６】
そこで、本技術の第２の実施の形態では、情報処理装置を所有するユーザ（例えば、子供）を特定場所（例えば、商業施設内の遊び場）に滞在させることを可能にする例を示す。なお、本技術の第２の実施の形態における情報処理装置の構成については、図２等に示す情報処理装置１００、２００、３００と略同一である。このため、本技術の第１の実施の形態と共通する部分については、本技術の第１の実施の形態と同一の符号を付してこれらの説明の一部を省略する。
【０１２７】
［子供の行動例］
図１２は、本技術の第２の実施の形態における情報処理装置５００および５１０からなる通信システム２０の一例を示す図である。
【０１２８】
例えば、情報処理装置５００を母親が所持し、情報処理装置５１０をその子供が所持しているものとする。また、点線の円２１を商業施設内の遊び場とする。
【０１２９】
例えば、図１２に示すように、情報処理装置５００を所持する母親と、情報処理装置５１０を所持する子供とが、買い物のため、商業施設へ来た場合を想定する。この場合に、母親は、買い物の間、商業施設内の遊び場（点線の円２１）で子供に遊んでいてもらいたいと考えたとする。しかしながら、子供は、遊び場（点線の円２１）での遊びに飽きた場合には、矢印２２に示すように、遊び場（点線の円２１）から出てしまうことも想定される。
【０１３０】
そこで、本技術の第２の実施の形態では、情報処理装置５００を所持する母親が、情報処理装置５１０を所持する子供に対して、インセンティブ（例えば、ゲームをする権利）を与える。これにより、その親が希望する場所に、その子供がとどまるように誘発することができる。
【０１３１】
［通信システムの構成例］
図１３は、本技術の第２の実施の形態における通信システム３０のシステム構成例を示す図である。
【０１３２】
通信システム３０は、情報処理装置５００乃至５０４、５１０乃至５１６を備える。
【０１３３】
上述したように、情報処理装置５００は、母親が所持する情報処理装置であり、情報処理装置５１０は、その母親の子供が所持する情報処理装置である。
【０１３４】
また、情報処理装置５１０の周辺に存在する情報処理装置５１１乃至５１６のそれぞれは、他の親（情報処理装置５０１乃至５０４を所持）の子供が所持する情報処理装置であるものとする。また、図１３では、各情報処理装置により形成されるメッシュＢＳＳ（Basic Service Set）を点線の円３１により模式的に示す。
【０１３５】
［通信例］
図１４は、本技術の第２の実施の形態における通信システム１０を構成する各装置間における通信処理例を示すシーケンスチャートである。なお、図１４では、情報処理装置５００、５１０が、図１３に示すトポロジで存在している場合における通信処理例を示す。また、図１４では、情報処理装置５００および５１０間で行われるペアリング（Ｐｅｅｒｉｎｇ）の一例を示す。
【０１３６】
最初に、情報処理装置５００を所持する母親が、情報処理装置５１０を所持する子供をとどめておきたい場所に（例えば、遊び場所）に誘導する。そこで、母親が所持する情報処理装置５００と、子供が所持する情報処理装置５１０とについて、子供がとどまってほしい場所の周辺に存在する他の情報処理装置との間でＭｅｓｈ  Ｐｅｅｒ  Ｌｉｎｋを確立し、Ｍｅｓｈ−ＢＳＳに参加する。
【０１３７】
このように、Ｍｅｓｈ−ＢＳＳに参加した後に、情報処理装置５００は、情報処理装置５１０に対するインセンティブを制御するための設定を行う。
【０１３８】
具体的には、情報処理装置５００および情報処理装置５１０は、互いにビーコンのやりとりを行い、周囲の情報処理装置としてお互いの存在を確認する（６０１、６０２）。
【０１３９】
例えば、母親は、情報処理装置５００においてメッシュＩＤ、メッシュＣｏｎｆｉｇｕｒａｔｉｏｎを指定する。これにより、情報処理装置５００は、その情報（メッシュＩＤ、メッシュＣｏｎｆｉｇｕｒａｔｉｏｎ）を含むビーコンを送信する（６０１）。このビーコンを受信した情報処理装置５１０は、そのビーコンを受信した旨を表示部に表示させる。この場合に、母親は、情報処理装置５１０においてもメッシュＩＤ、メッシュＣｏｎｆｉｇｕｒａｔｉｏｎを事前に設定しておくものとする。ここで、情報処理装置５１０において事前に設定されるメッシュＩＤは、情報処理装置５００において指定したメッシュＩＤと同一のメッシュＩＤであるものとする。また、情報処理装置５１０において事前に設定されるメッシュＣｏｎｆｉｇｕｒａｔｉｏｎは、情報処理装置５００において指定したメッシュＣｏｎｆｉｇｕｒａｔｉｏｎと同一のメッシュＣｏｎｆｉｇｕｒａｔｉｏｎであるものとする。このように、情報処理装置５００および情報処理装置５０１は、同じ情報（メッシュＩＤ、メッシュＣｏｎｆｉｇｕｒａｔｉｏｎ）を含むビーコンを互いに送受信する（６０１、６０２）。これにより、情報処理装置５００および情報処理装置５０１は、直接通信することができる範囲に互いの装置が存在することを検知することができる。なお、同一のメッシュＩＤ、同一のメッシュＣｏｎｆｉｇｕｒａｉｏｎを事前に設定していない場合も想定される。この場合には、情報処理装置５１０側で、母親により、情報処理装置５００が指定したメッシュＩＤおよびメッシュＣｏｎｆｉｇｕｌａｔｉｏｎを選択することにより、Ｐｅｅｒ  Ｌｉｎｋを張る相手装置を指定することができる。
【０１４０】
続いて、情報処理装置５００および５１０は、互いに、Ｍｅｓｈ  Ｐｅｅｒｉｎｇ  ｏｐｅｎフレーム（６０３、６０５）、Ｍｅｓｈ  Ｐｅｅｒｉｎｇ  ｃｏｎｆｉｒｍフレーム（６０４、６０６）を交換する。これにより、Ｍｅｓｈ  Ｐｅｅｒ  Ｌｉｎｋが確立される（６０７）。なお、Ｍｅｓｈ  Ｐｅｅｒｉｎｇ  ｏｐｅｎフレーム、Ｍｅｓｈ  Ｐｅｅｒｉｎｇ  ｃｏｎｆｉｒｍフレームは、どちらの情報処理装置が先に送信してもよい。また、Ｍｅｓｈ  Ｐｅｅｒｉｎｇ  ｏｐｅｎ、Ｍｅｓｈ  Ｐｅｅｒｉｎｇ  ｃｏｎｆｉｒｍは、メッシュプロファイルが一致したメッシュ機器同士が、互いの通信路を確立するために行う設定手順である。
【０１４１】
［各フレーム例］
図１５乃至図１７は、本技術の第２の実施の形態における通信システム３０を構成する各情報処理装置間でやり取りされるフレームの構成例を示す図である。
【０１４２】
図１５には、ビーコンフレームの構成例を示し、図１６には、Ｍｅｓｈ  Ｐｅｅｒｉｎｇ  ｏｐｅｎ  ｆｒａｍｅおよびＭｅｓｈ  Ｐｅｅｒｉｎｇ  ｃｏｎｆｉｒｍ  ｆｒａｍｅの構成例を示す。
【０１４３】
また、図１７のａには、管理設定要求フレームの構成例を示し、図１７のｂには、管理設定確認フレームの構成例を示し、図１７のｃには、違反通知フレームの構成例を示す。なお、これらの各フレームについては、図２７、図２８を参照して詳細に説明する。
【０１４４】
［表示例］
図１８乃至図２６は、本技術の第２の実施の形態における通信システム３０を構成する各情報処理装置間に表示される表示画面例を示す図である。なお、これらの各表示画面例については、図２７、図２８を参照して詳細に説明する。
【０１４５】
［インセンティブ管理開始までの通信例］
図２７は、本技術の第２の実施の形態における通信システム１０を構成する各装置間における通信処理例を示すシーケンスチャートである。なお、図２７では、情報処理装置５００、５１０が、図２７に示すトポロジで存在している場合における通信処理例を示す。また、図２７では、情報処理装置５００および５１０間でペアリングを行い、インセンティブ管理を開始するまでの例を示す。
【０１４６】
最初に、情報処理装置５００および５１０は、事前にパスワードを共有しておくものとする。そして、情報処理装置５００および５１０は、互いにビーコンのやりとりを行う（６１１、６１２）。この場合に、図１５に示すビーコンが用いられる。例えば、Ｉｎｃｅｎｔｉｖｅ  Ｆｌａｇ５２１およびＡｐｐ  ＩＤ５２２を含むビーコンが用いられる。
【０１４７】
ここで、Ｉｎｃｅｎｔｉｖｅ  Ｆｌａｇ５２１は、このビーコンをやりとりする情報処理装置間でインセンティブ管理を行うことが可能であること、または、インセンティブ管理に対応していることを示すフラグである。また、Ａｐｐ  ＩＤ５２２は、インセンティブ管理で使用することができるアプリケーションを特定するための識別情報である。なお、複数のアプリケーションに対応している場合には、Ａｐｐ  ＩＤ５２２には、複数のアプリケーションＩＤが分類して格納される。
【０１４８】
このように、ビーコンのやりとりを行うことにより（６１１、６１２）、情報処理装置５００および５１０は、お互いを認識することができる。例えば、情報処理装置５００および５１０は、インセンティブをやり取りする機能を備え、インセンティブのやり取りに対応可能であることを認識することができる。そして、情報処理装置５００および５１０は、ペアとしてリンクを張るべき相手としてリストアップされ、相互認証が始まる（６１３）。すなわち、情報処理装置同士をセキュアなリンクで確立するときは、パスワードを共有しておき、４−ｗａｙ  ｈａｎｄ  ｓｈａｋｅ（６１３）で鍵を生成することにより、相互認証を行う。
【０１４９】
続いて、情報処理装置５００および５１０は、Ｍｅｓｈ  Ｐｅｅｒｉｎｇ  ｏｐｅｎフレーム（６１４、６１６）、Ｍｅｓｈ  Ｐｅｅｒｉｎｇ  ｃｏｎｆｉｒｍフレーム（６１５、６１７）を交換する。これにより、Ｍｅｓｈ  Ｐｅｅｒ  Ｌｉｎｋが確立される（６１８）。すなわち、お互いのパスが確立される。この場合に、図１６に示すＭｅｓｈ  Ｐｅｅｒｉｎｇ  ｏｐｅｎ  ｆｒａｍｅおよびＭｅｓｈ  Ｐｅｅｒｉｎｇ  ｃｏｎｆｉｒｍ  ｆｒａｍｅが用いられる。例えば、Ｓｅｃｕｒｉｔｙ  ｉｎｆｏ５３１を含むフレームが用いられる。
【０１５０】
このように、情報処理装置５００および５１０間のパスが確立された後に、インセンティブ管理手続きを行う。
【０１５１】
図１８および図１９には、管理設定要求を送信する前に情報処理装置５００の表示部６７０に表示される表示画面の遷移例を示す。これらの表示画面は、管理内容を設定するための表示画面である。
【０１５２】
例えば、図１８に示す場所ボタン６７１が選択（押下）されると、図１９に示すように、場所に関するメニュー画面６７３が表示される。また、例えば、図１８に示す時間ボタン６７２が選択（押下）されると、図１９に示すように、時間に関するメニュー画面６７４が表示される。なお、これらの各表示画面では、説明の容易のため、簡略化した内容のみを示すが、さらに詳細な管理内容に関する情報を表示するようにしてもよい。
【０１５３】
例えば、メニュー画面６７３、６７４を用いて、母親が希望する管理内容を選択（押下）する。この選択が行われた後の表示画面例を図２０に示す。
【０１５４】
図２０には、管理設定要求を送信している場合に情報処理装置５００の表示部６７０に表示される表示画面の一例を示す。
【０１５５】
例えば、メニュー画面６７３、６７４を用いて、母親が希望する管理内容の選択が行われ、設定開始ボタン６７５が押下された場合には、情報処理装置５００の制御部は、情報処理装置５１０に管理設定要求を送信する（６１９）。この管理設定要求は、情報処理装置５００を所持する母親が、情報処理装置５１０を所持する子に対して、指定した場所に指定時間だけ滞在するように要求するための要求である。また、この管理設定要求では、図１７のａに示す管理設定要求フレームが送信される。
【０１５６】
ここで、図１７のａに示す設定距離５４１には、情報処理装置５００を所持する母親により設定された場所に関する設定内容（例えば、メニュー画面６７３を用いて設定された内容）が格納される。また、図１７のａに示す設定時間５４２には、情報処理装置５００を所持する母親により設定された時間に関する設定内容（例えば、メニュー画面６７４を用いて設定された内容）が格納される。また、図１７のａに示すインセンティブ５４３には、この管理設定要求により設定するインセンティブを特定するための情報（例えば、許可するアプリケーションＩＤ）が格納される。
【０１５７】
このように、管理設定要求が送信された場合には（６１９）、情報処理装置５００の制御部は、図２０に示す表示画面を表示部６７０に表示させる。この表示画面では、送信された管理設定要求に対応する設定内容を表示する画面６７６、６７７が表示される。
【０１５８】
また、情報処理装置５００からの管理設定要求を受信した情報処理装置５１０の制御部は（６１９）、図２１に示す表示画面を表示部６８０に表示させる。この表示画面では、受信した管理設定要求に対応する設定内容を表示する画面６８１と、はいボタン６８２と、いいえボタン６８３とが表示される。
【０１５９】
はいボタン６８２およびいいえボタン６８３は、受信した管理設定要求に対応する設定内容をユーザ（子供）に確認させるためのボタンである。すなわち、母親との約束を子供に確認させるためのボタンである。
【０１６０】
例えば、はいボタン６８２が選択（押下）されると、情報処理装置５１０の制御部は、管理設定確認を情報処理装置５００に送信する（６２０）。この場合には、情報処理装置５１０の制御部は、自装置に設定する処理が完了した後に、管理設定確認を送信する。この管理設定確認では、図１７のｂに示す管理設定確認フレームが送信される。
【０１６１】
ここで、図１７のｂに示す設定距離５５１、設定時間５５２、インセンティブ５５３には、実際に情報処理装置５１０に設定された内容とその結果が格納される。例えば、正しく設定されている場合には、図１７のｂに示す設定距離５５１、設定時間５５２、インセンティブ５５３には、図１７のａに示す同一名称の各情報が格納される。また、図１７のｂに示す設定結果５５４には、情報処理装置５１０が、情報処理装置５００からの管理設定要求に対応する設定内容を設定したか否かを示す情報が格納される。例えば、図２１に示すはいボタン６８２が選択（押下）された場合には、設定完了を示す情報が設定結果５５４に格納され、いいえボタン６８３が選択（押下）された場合には、設定未完了を示す情報が設定結果５５４に格納される。
【０１６２】
また、情報処理装置５１０の制御部は、管理設定確認が送信された場合には（６２０）、図２２に示す表示画面を表示部６８０に表示させる。この表示画面では、確認した設定内容を再度表示する画面６８４乃至６８６が表示される。これにより、子供は、管理設定を容易に再確認することができる。
【０１６３】
また、情報処理装置５１０からの管理設定確認を受信した情報処理装置５００の制御部は（６２０）、図２３に示す表示画面を表示部６７０に表示させる。この表示画面では、送信した管理設定要求に対応する設定内容を表示する画面６８７乃至６８９が表示される。これにより、母親は、管理設定が正しく完了したことを容易に確認することができる。
【０１６４】
また、情報処理装置５１０からの管理設定確認を受信した場合には（６２０）、情報処理装置５００の制御部は、送信した管理設定要求に対応するインセンティブを情報処理装置５１０に送信する（６２１）。このインセンティブとして、例えば、アプリケーションの使用許可キー等を含む情報が送信される。また、インセンティブを情報処理装置５１０に送信した後に（６２１）、情報処理装置５００の制御部は、監視を開始する（６２２）。
【０１６５】
また、情報処理装置５００からのインセンティブを受信した情報処理装置５１０の制御部は（６２１）、図２４に示す表示画面を表示部６８０に表示させる。この表示画面では、インセンティブを有効とするための条件（設定内容）を表示する画面６９０乃至６９３が表示される。
【０１６６】
これにより、情報処理装置５１０を所持する子供が、母親により指定された設定範囲にとどまっている間、許可されたアプリケーションを使用することができる。
【０１６７】
また、例えば、同様の設定をされた情報処理装置を保持する他の子供（遊び場に滞在するように指示された子供）と、その親が所持する情報処理装置とがＭｅｓｈ−ＢＳＳで形成されている。このため、子供の遊び場所から母親が離れても、ｈｏｐにより、情報処理装置５００および５１０間のネットワーク接続が可能となる。また、他の情報処理装置からの無線が届かないような広い場所に母親が移動したような場合には、商業施設内のネットワーク経由で接続することが可能である。すなわち、情報処理装置５００を所持する母親は、子供がいる場所から離れ、商業施設内の他の場所への移動が可能となる。
【０１６８】
［インセンティブ監視に関する通信例］
図２８は、本技術の第２の実施の形態における通信システム１０を構成する各装置間における通信処理例を示すシーケンスチャートである。なお、図２８では、情報処理装置５００、５１０の双方が移動する場合を想定する通信処理例を示す。
【０１６９】
最初に、情報処理装置５００は、設定内容を指定し（６３１）、その設定内容に対応する管理設定要求を情報処理装置５１０に送信する（６３２、６３３）。なお、この各処理は、図２７に示す処理（６１９）に対応する。
【０１７０】
続いて、情報処理装置５１０は、受信した管理設定要求に基づいて、設定処理を行う（６３４）。この場合に、情報処理装置５１０は、設定範囲に存在する他の情報処理装置からのフレームの観察を開始する。
【０１７１】
続いて、情報処理装置５１０は、管理設定確認（設定完了通知、設定値報告、受入通知を含む）を情報処理装置５００に送信する（６３５、６３６）。なお、この各処理は、図２７に示す処理（６２０）に対応する。
【０１７２】
続いて、情報処理装置５００は、インセンティブを情報処理装置５１０に送信する（６３７、６３８）。なお、この各処理は、図２７に示す処理（６２１）に対応する。
【０１７３】
続いて、情報処理装置５１０は、受信したインセンティブが許可するアプリケーション（例えば、ゲーム）を起動させる（６３９）。例えば、アプリケーションの使用許可キーを用いて、アプリケーション（例えば、ゲーム）を起動させることができる。
【０１７４】
続いて、情報処理装置５１０は、設定範囲に情報処理装置５１０が存在するか否かを判断する（６４０）。なお、設定範囲に存在するか否かを判断する判断方法については、図２９を参照して詳細に説明する。ここで、図２８では、情報処理装置５１０が設定範囲外に出た場合を想定して説明する。
【０１７５】
例えば、情報処理装置５１０を所持する子供が移動して、情報処理装置５１０が設定範囲外に出たことが検出された場合には（６４１）、情報処理装置５１０は、受信したインセンティブが許可するアプリケーションを終了させる（６４２）。すなわち、母親から譲渡されたインセンティブが無効化される。または、その子供が使用中のアプリケーションを停止（または、一時停止）するようにしてもよい。この場合には、違反警告と、違反が解消すればアプリケーションを再開させることができる旨とを表示することができる。
【０１７６】
続いて、情報処理装置５１０は、違反通知を情報処理装置５００に送信する（６４３、６４４）。この違反通知では、図１７のｃに示す違反通知フレームが送信される。ここで、図１７のｃに示す設定距離５６１および設定時間５６２は、図１７のａに示す同一名称の各情報に対応する。また、図１７のｃに示すインセンティブＤｉｓａｂｌｅ  ｉｎｆｏ５６３には、設定されたインセンティブを無効するための情報（例えば、アプリケーションＩＤ）が格納される。
【０１７７】
違反通信を受信した場合には（６４４）、情報処理装置５００は、情報処理装置５１０が設定範囲外に出たことをユーザに通知する（６４５）。この通知例を図２５に示す。例えば、情報処理装置５００の制御部は、図２５に示す表示画面を表示部６７０に表示させる。この表示画面では、設定内容についての違反があった旨の警告を表示する画面６９４が表示される。
【０１７８】
続いて、情報処理装置５００は、設定範囲に戻すための通知を情報処理装置５１０に送信する（６４６、６４７）。この通信を受信した場合には（６４７）、情報処理装置５１０は、設定範囲に戻すための警告をユーザに通知する。この警告例を図２６に示す。例えば、情報処理装置５１０の制御部は、図２６に示す表示画面を表示部６８０に表示させる。この表示画面では、設定内容についての違反があった旨の警告を表示する画面６９５が表示される。
【０１７９】
［設定範囲外への移動を検出する検出例］
図２９は、本技術の第２の実施の形態における情報処理装置５１０により保持される周辺装置リスト６５０を模式的に示す図である。
【０１８０】
周辺装置リスト６５０には、情報処理装置５１０の周囲に存在する各情報処理装置に関する測定値が格納される。例えば、端末識別情報６５１および距離換算値６５２が格納される。
【０１８１】
端末識別情報６５１は、情報処理装置５１０の周囲に存在する情報処理装置を識別するための識別情報である。
【０１８２】
距離換算値６５２は、情報処理装置５１０の周囲に存在する情報処理装置から受信したフレームに基づいて算出される測定値である。
【０１８３】
例えば、情報処理装置５１０の制御部は、周辺に存在する情報処理装置からのフレームを受信する際にＲＳＳＩを取得する。そして、情報処理装置５１０の制御部は、その取得されたＲＳＳＩに基づいて、周辺に存在する情報処理装置までの距離を算出することができる。すなわち、その取得されたＲＳＳＩを距離に換算することができる。なお、ＲＳＳＩの代わりに、ＲＴＴ等を測定し、この値を用いて距離を求めるようにしてもよい。
【０１８４】
そして、情報処理装置５１０の制御部は、求められた距離を、周辺装置リスト６５０の距離換算値６５２に格納し、その距離を求めた情報処理装置の識別情報を、周辺装置リスト６５０の端末識別情報６５１に格納する。
【０１８５】
情報処理装置５１０の制御部は、そのように生成された周辺装置リスト６５０を用いて、情報処理装置５１０が設定範囲内に存在するか、設定範囲外に存在するかを判定することができる。
【０１８６】
具体的には、設定範囲の設定値を閾値（例えば、５ｍ）とする。そして、情報処理装置５１０の制御部は、周辺装置リスト６５０の距離換算値６５２と閾値とを比較して、閾値以上の値が、周辺装置リスト６５０の距離換算値６５２に存在するか否かを判断する。
【０１８７】
例えば、周辺装置リスト６５０に格納されている全ての情報処理装置の数に対して、所定の割合（例えば、３割）以上の情報処理装置の距離換算値６５２が、閾値以上である場合に、情報処理装置５１０が設定範囲外に存在すると判定することができる。なお、この例では、情報処理装置５１０の周囲の全ての情報処理装置の数に対する割合（例えば、３割）を基準として判定する例を示した。ただし、情報処理装置５１０の周囲の情報処理装置のうちで、閾値以上となる情報処理装置の数を基準として判定するようにしてもよい。また、これらの判定基準となる設定値（例えば、割合、数）は、ユーザ操作により設定可能とすることができる。
【０１８８】
ただし、情報処理装置５１０の周辺に存在する情報処理装置は、時間経過に応じて、入れ替わりや、移動することも考えられる。このため、周辺装置リスト６５０は、定期的または不定期に更新することが好ましい。
【０１８９】
［管理側の情報処理装置の動作例］
図３０は、本技術の第２の実施の形態における情報処理装置５００による管理設定処理の処理手順の一例を示すフローチャートである。
【０１９０】
最初に、情報処理装置５００の制御部は、設定内容を指定し（ステップＳ７５１）、その設定内容に対応する管理設定要求を情報処理装置５１０に送信する（ステップＳ７５２）。
【０１９１】
続いて、情報処理装置５００の制御部は、管理設定確認を受信したか否かを判断する（ステップＳ７５３）。そして、管理設定確認を受信していない場合には（ステップＳ７５３）、ステップＳ７５２に戻る。
【０１９２】
また、管理設定確認を受信した場合には（ステップＳ７５３）、情報処理装置５００の制御部は、インセンティブを情報処理装置５１０に送信する（ステップＳ７５４）。
【０１９３】
続いて、情報処理装置５００の制御部は、違反通知を受信したか否かを判断する（ステップＳ７５５）。違反通知を受信していない場合には（ステップＳ７５５）、監視を継続して行う。
【０１９４】
違反通知を受信した場合には（ステップＳ７５５）、情報処理装置５００の制御部は、情報処理装置５１０が設定範囲外に出たことをユーザに通知する（ステップＳ７５６）。
【０１９５】
続いて、情報処理装置５００の制御部は、設定範囲に戻すための通知を情報処理装置５１０に送信する（ステップＳ７５７）。続いて、情報処理装置５００の制御部は、設定範囲に戻すための通知に対する返信（設定範囲に戻った旨の返信）が時間内にあったか否かを判断する（ステップＳ７５８）。そして、その返信（設定範囲に戻った旨の返信）が時間内にあった場合には（ステップＳ７５８）、ステップＳ７５２に戻る。一方、その返信（設定範囲に戻った旨の返信）が時間内になかった場合には（ステップＳ７５８）、管理設定処理の動作を終了する。
【０１９６】
［管理される側の情報処理装置の動作例］
図３１は、本技術の第２の実施の形態における情報処理装置５１０による管理処理の処理手順の一例を示すフローチャートである。
【０１９７】
最初に、情報処理装置５１０の制御部は、管理設定要求を受信したか否かを判断する（ステップＳ７６１）。管理設定要求を受信していない場合には（ステップＳ７６１）、監視を継続して行う。
【０１９８】
管理設定要求を受信した場合には（ステップＳ７６１）、情報処理装置５１０の制御部は、受信した管理設定要求に基づいて、設定処理を行う（ステップＳ７６２）。
【０１９９】
続いて、情報処理装置５１０の制御部は、管理設定確認を情報処理装置５００に送信する（ステップＳ７６３）。
【０２００】
続いて、情報処理装置５１０の制御部は、インセンティブを受信したか否かを判断する（ステップＳ７６４）。インセンティブを受信していない場合には（ステップＳ７６４）、監視を継続して行う。
【０２０１】
インセンティブを受信した場合には（ステップＳ７６４）、情報処理装置５１０の制御部は、受信したインセンティブが許可するアプリケーション（例えば、ゲーム）を起動させる（ステップＳ７６５）。
【０２０２】
続いて、情報処理装置５１０の制御部は、情報処理装置５１０が設定範囲外に出たか否かを判断する（ステップＳ７６６）。情報処理装置５１０が設定範囲外に出ていない場合には（ステップＳ７６６）、監視を継続して行う。
【０２０３】
情報処理装置５１０が設定範囲外に出た場合には（ステップＳ７６６）、情報処理装置５１０の制御部は、受信したインセンティブを無効化し（ステップＳ７６７）、そのインセンティブが許可するアプリケーションを停止させる（ステップＳ７６８）。
【０２０４】
続いて、情報処理装置５１０の制御部は、違反通知を情報処理装置５００に送信する（ステップＳ７６９）。
【０２０５】
続いて、情報処理装置５１０の制御部は、設定範囲に戻すための通知を行う（ステップＳ７７０）。この通知は、情報処理装置５００からの通知（設定範囲に戻すための通知）を受信したことを条件に行うようにしてもよく、その通知を受信する前に自動で行うようにしてもよい。
【０２０６】
続いて、情報処理装置５１０の制御部は、情報処理装置５１０が設定範囲内に戻ったか否かを判断する（ステップＳ７７１）。情報処理装置５１０が設定範囲内に戻らない場合には（ステップＳ７７１）、情報処理装置５１０の制御部は、違反通知を情報処理装置５００に再送信し、警告通知を継続して行う（ステップＳ７７２）。そして、所定時間が経過しても、情報処理装置５１０が設定範囲内に戻らない場合には、管理処理の動作を終了する。
【０２０７】
また、情報処理装置５１０が設定範囲内に戻った場合には（ステップＳ７７１）、情報処理装置５１０の制御部は、情報処理装置５１０が設定範囲内に戻った旨を情報処理装置５００に送信する（ステップＳ７７３）。
【０２０８】
このように、本技術の実施の形態では、特定場所に滞在してもらいたい情報処理装置にインセンティブを与えることにより、その特定場所にその情報処理装置を滞在させることができる。この場合に、例えば、一つの情報処理装置が存在している場所と、その周辺に存在する情報処理装置との相対的な位置に応じて、インセンティブを与えることができる。これにより、周辺に存在する情報処理装置に、その場所に滞在するように誘発することができる。すなわち、他のユーザに特定場所に滞在するように誘発することができる。
【０２０９】
このように、本技術の実施の形態によれば、情報処理装置を所持するユーザ（例えば、中継局のユーザ、子供）を、希望する場所に、他のユーザが強制することなく、その意思（例えば、中継局のユーザの意思、子供の意思）で滞在させることができる。
【０２１０】
なお、本技術の実施の形態では、他の情報処理装置から付与されたインセンティブを各情報処理装置が管理する例を示したが、外部装置（例えば、ネットワークサーバ）が一括して管理するようにしてもよい。例えば、ネットワーク上に存在する情報処理システム（例えば、クラウドコンピューティング）によりインセンティブを管理することができる。
【０２１１】
＜３．応用例＞
本開示に係る技術は、様々な製品へ応用可能である。例えば、情報処理装置１００乃至１０４、２００乃至２０５、３００、５００乃至５０４、５１０乃至５１６は、スマートフォン、タブレットＰＣ（Personal  Computer）、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、情報処理装置１００乃至１０４、２００乃至２０５、３００、５００乃至５０４、５１０乃至５１６は、スマートメータ、自動販売機、遠隔監視装置又はＰＯＳ（Point  Of  Sale）端末などの、Ｍ２Ｍ（Machine  To  Machine）通信を行う端末（ＭＴＣ（Machine  Type  Communication）端末ともいう）として実現されてもよい。さらに、情報処理装置１００乃至１０４、２００乃至２０５、３００、５００乃至５０４、５１０乃至５１６は、これら端末に搭載される無線通信モジュール（例えば、１つのダイで構成される集積回路モジュール）であってもよい。
【０２１２】
［３−１．第１の応用例］
図３２は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３、アンテナスイッチ９１４、アンテナ９１５、バス９１７、バッテリー９１８及び補助コントローラ９１９を備える。
【０２１３】
プロセッサ９０１は、例えばＣＰＵ（Central  Processing  Unit）又はＳｏＣ（System  on  Chip）であってよく、スマートフォン９００のアプリケーションレイヤ及びその他のレイヤの機能を制御する。メモリ９０２は、ＲＡＭ（Random  Access  Memory）及びＲＯＭ（Read  Only  Memory）を含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２１４】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２１５】
無線通信インタフェース９１３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９１３は、インフラストラクチャーモードにおいては、他の装置と無線ＬＡＮアクセスポイントを介して通信し得る。また、無線通信インタフェース９１３は、アドホックモード又はＷｉ−Ｆｉ Ｄｉｒｅｃｔ等のダイレクト通信モードにおいては、他の装置と直接的に通信し得る。なお、Ｗｉ−Ｆｉ  Ｄｉｒｅｃｔでは、アドホックモードとは異なり２つの端末の一方がアクセスポイントとして動作するが、通信はそれら端末間で直接的に行われる。無線通信インタフェース９１３は、典型的には、ベースバンドプロセッサ、ＲＦ（Radio  Frequency）回路及びパワーアンプなどを含み得る。無線通信インタフェース９１３は、通信制御プログラムを記憶するメモリ、当該プログラムを実行するプロセッサ及び関連する回路を集積したワンチップのモジュールであってもよい。無線通信インタフェース９１３は、無線ＬＡＮ方式に加えて、近距離無線通信方式、近接無線通信方式又はセルラ通信方式などの他の種類の無線通信方式をサポートしてもよい。アンテナスイッチ９１４は、無線通信インタフェース９１３に含まれる複数の回路（例えば、異なる無線通信方式のための回路）の間でアンテナ９１５の接続先を切り替える。アンテナ９１５は、単一の又は複数のアンテナ素子（例えば、ＭＩＭＯアンテナを構成する複数のアンテナ素子）を有し、無線通信インタフェース９１３による無線信号の送信及び受信のために使用される。また、ＩＥＥＥ８０２．１６、３ＧＰＰ仕様（例えば、Ｗ−ＣＤＭＡ、ＧＳＭ（登録商標）、ＷｉＭＡＸ、ＷｉＭＡＸ２、ＬＴＥ、ＬＴＥ−Ａ）等の公衆回線に接続するための無線通信インターフェースの機能を有し、公衆回線と通信し得る。
【０２１６】
なお、図３２の例に限定されず、スマートフォン９００は、複数のアンテナ（例えば、無線ＬＡＮ用のアンテナ及び近接無線通信方式用のアンテナ、公衆回線通信用アンテナなど）を備えてもよい。その場合に、アンテナスイッチ９１４は、スマートフォン９００の構成から省略されてもよい。
【０２１７】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１３及び補助コントローラ９１９を互いに接続する。バッテリー９１８は、図中に破線で部分的に示した給電ラインを介して、図３２に示したスマートフォン９００の各ブロックへ電力を供給する。補助コントローラ９１９は、例えば、スリープモードにおいて、スマートフォン９００の必要最低限の機能を動作させる。
【０２１８】
図３２に示したスマートフォン９００において、図２を用いて説明した制御部１５０は、無線通信インタフェース９１３において実装されてもよい。また、これら機能の少なくとも一部は、プロセッサ９０１又は補助コントローラ９１９において実装されてもよい。
【０２１９】
なお、スマートフォン９００は、プロセッサ９０１がアプリケーションレベルでアクセスポイント機能を実行することにより、無線アクセスポイント（ソフトウェアＡＰ）として動作してもよい。また、無線通信インタフェース９１３が無線アクセスポイント機能を有していてもよい。
【０２２０】
［３−２．第２の応用例］
図３３は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、アンテナスイッチ９３４、アンテナ９３５及びバッテリー９３８を備える。
【０２２１】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２２２】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２２３】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２２４】
無線通信インタフェース９３３は、ＩＥＥＥ８０２．１１ａ、１１ｂ、１１ｇ、１１ｎ、１１ａｃ及び１１ａｄなどの無線ＬＡＮ標準のうちの１つ以上をサポートし、無線通信を実行する。無線通信インタフェース９３３は、インフラストラクチャーモードにおいては、他の装置と無線ＬＡＮアクセスポイントを介して通信し得る。また、無線通信インタフェース９３３は、アドホックモード又はＷｉ−Ｆｉ Ｄｉｒｅｃｔ等のダイレクト通信モードにおいては、他の装置と直接的に通信し得る。無線通信インタフェース９３３は、典型的には、ベースバンドプロセッサ、ＲＦ回路及びパワーアンプなどを含み得る。無線通信インタフェース９３３は、通信制御プログラムを記憶するメモリ、当該プログラムを実行するプロセッサ及び関連する回路を集積したワンチップのモジュールであってもよい。無線通信インタフェース９３３は、無線ＬＡＮ方式に加えて、近距離無線通信方式、近接無線通信方式又はセルラ通信方式などの他の種類の無線通信方式をサポートしてもよい。アンテナスイッチ９３４は、無線通信インタフェース９３３に含まれる複数の回路の間でアンテナ９３５の接続先を切り替える。アンテナ９３５は、単一の又は複数のアンテナ素子を有し、無線通信インタフェース９３３による無線信号の送信及び受信のために使用される。
【０２２５】
なお、図３３の例に限定されず、カーナビゲーション装置９２０は、複数のアンテナを備えてもよい。その場合に、アンテナスイッチ９３４は、カーナビゲーション装置９２０の構成から省略されてもよい。
【０２２６】
バッテリー９３８は、図中に破線で部分的に示した給電ラインを介して、図３３に示したカーナビゲーション装置９２０の各ブロックへ電力を供給する。また、バッテリー９３８は、車両側から給電される電力を蓄積する。
【０２２７】
図３３に示したカーナビゲーション装置９２０において、図２を用いて説明した制御部１５０は、無線通信インタフェース９３３において実装されてもよい。また、これら機能の少なくとも一部は、プロセッサ９２１において実装されてもよい。
【０２２８】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２２９】
なお、上述の実施の形態は本技術を具現化するための一例を示したものであり、実施の形態における事項と、請求の範囲における発明特定事項とはそれぞれ対応関係を有する。同様に、請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２３０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０２３１】
なお、本明細書に記載された効果はあくまで例示であって、限定されるものではなく、また、他の効果があってもよい。
【０２３２】
なお、本技術は以下のような構成もとることができる。
（１）
複数の情報処理装置が１対１で無線通信を行うことにより前記複数の情報処理装置が相互に接続されるネットワークにおける前記複数の情報処理装置を構成する第１情報処理装置に特定場所に滞在することを要求する滞在要求を送信し、前記第１情報処理装置が前記特定場所に滞在することを条件に前記第１情報処理装置にインセンティブを付与する制御を行う制御部を具備する情報処理装置。
（２）
前記第１情報処理装置は、前記複数の情報処理装置を構成する第２情報処理装置から送信されるデータを当該情報処理装置が受信する場合に前記データを中継する中継装置であり、
前記制御部は、前記データの受信が完了するまでの間、前記第１情報処理装置が前記特定場所に滞在することを条件に前記第１情報処理装置に前記インセンティブを付与する
前記（１）に記載の情報処理装置。
（３）
前記制御部は、当該情報処理装置と前記第１情報処理装置と前記第２処理装置との相対的な位置関係に基づいて、前記インセンティブを決定する前記（２）に記載の情報処理装置。
（４）
前記制御部は、前記複数の情報処理装置を構成する各情報処理装置のうちで前記データの受信に関与が可能な情報処理装置の数に基づいて前記インセンティブを決定する前記（２）に記載の情報処理装置。
（５）
前記制御部は、前記第１情報処理装置が前記特定場所に滞在する時間に基づいて、前記インセンティブを決定する前記（１）または（２）に記載の情報処理装置。
（６）
前記制御部は、前記第１情報処理装置に前記インセンティブを付与することにより前記第１情報処理装置において特定アプリケーションを起動させる前記（１）から（５）のいずれかに記載の情報処理装置。
（７）
前記制御部は、前記第１情報処理装置が前記特定場所の範囲外に出たことが検出された場合には、前記インセンティブを無効化する前記（１）から（６）のいずれかに記載の情報処理装置。
（８）
前記制御部は、前記第１情報処理装置が前記特定場所の範囲外に出たことが検出された場合には、前記第１情報処理装置が前記特定場所に戻るための警告通知を前記第１情報処理装置に送信する前記（１）から（７）のいずれかに記載の情報処理装置。
（９）
複数の情報処理装置が１対１で無線通信を行うことにより前記複数の情報処理装置が相互に接続されるネットワークにおける前記複数の情報処理装置を構成する第１情報処理装置から特定場所に滞在することを要求する滞在要求を受信した場合に、当該情報処理装置が前記特定場所に滞在することを条件に前記第１情報処理装置から付与されるインセンティブに基づく処理を行う制御を行う制御部を具備する情報処理装置。
（１０）
前記制御部は、前記インセンティブに基づいて特定アプリケーションを起動させる前記（９）に記載の情報処理装置。
（１１）
前記制御部は、当該情報処理装置が前記特定場所の範囲外に出たことが検出された場合には、前記特定アプリケーションを停止または終了させる前記（１０）に記載の情報処理装置。
（１２）
前記制御部は、当該情報処理装置が前記特定場所の範囲外に出たことが検出された場合には、前記インセンティブを無効化させる前記（９）から（１１）のいずれかに記載の情報処理装置。
（１３）
前記制御部は、当該情報処理装置が前記特定場所の範囲外に出たことが検出された場合には、その旨を前記第１情報処理装置に送信する前記（９）から（１２）のいずれかに記載の情報処理装置。
（１４）
複数の情報処理装置が１対１で無線通信を行うことにより前記複数の情報処理装置が相互に接続されるネットワークにおける前記複数の情報処理装置を構成する第１情報処理装置に特定場所に滞在することを要求する滞在要求を送信する手順と、
前記第１情報処理装置が前記特定場所に滞在することを条件に前記第１情報処理装置にインセンティブを付与する手順と
を具備する情報処理方法。
【符号の説明】
【０２３３】
１０、２０、３０  通信システム
１００〜１０４、２００〜２０５、３００、４３１〜４３３、５００〜５０４、５１０〜５１６  情報処理装置
１１０  無線通信部
１２０  アンテナ
１３０  Ｉ／Ｏインタフェース
１４０  記憶部
１５０  制御部
１６０  操作受付部
１７０、６７０、６８０  表示部
１８１  状態検出部
１８２  音声出力部
１９０  バス
９００  スマートフォン
９０１  プロセッサ
９０２  メモリ
９０３  ストレージ
９０４  外部接続インタフェース
９０６  カメラ
９０７  センサ
９０８  マイクロフォン
９０９  入力デバイス
９１０  表示デバイス
９１１  スピーカ
９１３  無線通信インタフェース
９１４  アンテナスイッチ
９１５  アンテナ
９１７  バス
９１８  バッテリー
９１９  補助コントローラ
９２０  カーナビゲーション装置
９２１  プロセッサ
９２２  メモリ
９２４  ＧＰＳモジュール
９２５  センサ
９２６  データインタフェース
９２７  コンテンツプレーヤ
９２８  記憶媒体インタフェース
９２９  入力デバイス
９３０  表示デバイス
９３１  スピーカ
９３３  無線通信インタフェース
９３４  アンテナスイッチ
９３５  アンテナ
９３８  バッテリー
９４１  車載ネットワーク
９４２  車両側モジュール
【図１】
0006508210.tif 000002
【図２】
0006508210.tif 000003
【図３】
0006508210.tif 000004
【図４】
0006508210.tif 000005
【図５】
0006508210.tif 000006
【図６】
0006508210.tif 000007
【図７】
0006508210.tif 000008
【図８】
0006508210.tif 000009
【図９】
0006508210.tif 000010
【図１０】
0006508210.tif 000011
【図１１】
0006508210.tif 000012
【図１２】
0006508210.tif 000013
【図１３】
0006508210.tif 000014
【図１４】
0006508210.tif 000015
【図１５】
0006508210.tif 000016
【図１６】
0006508210.tif 000017
【図１７】
0006508210.tif 000018
【図１８】
0006508210.tif 000019
【図１９】
0006508210.tif 000020
【図２０】
0006508210.tif 000021
【図２１】
0006508210.tif 000022
【図２２】
0006508210.tif 000023
【図２３】
0006508210.tif 000024
【図２４】
0006508210.tif 000025
【図２５】
0006508210.tif 000026
【図２６】
0006508210.tif 000027
【図２７】
0006508210.tif 000028
【図２８】
0006508210.tif 000029
【図２９】
0006508210.tif 000030
【図３０】
0006508210.tif 000031
【図３１】
0006508210.tif 000032
【図３２】
0006508210.tif 000033
【図３３】
0006508210.tif 000034